(57)【要約】      （修正有）【課題】コンクリート構造物の鉄骨階段の仮止め固定方法において、作業者の通行の邪魔にならない設置方法を提供する。【解決手段】コンクリート構造物における鉄骨階段３の構築現場において、現場に搬入した鉄骨階段３を所定の位置にセットしてその鉄骨階段３の下部を、既設の鉄骨階段の上部に固定し、セットした鉄骨階段３の上部の踊り場を、鉄骨階段支持用のパイプサポートを鉄骨階段３の階段部分の昇降方向に直交する方向に向けて配置するとともに、パイプサポート１の上下長さを調節して支持金物を上部の踊り場の下部に突設されたリブに係合させて、鉄骨階段支持用のパイプサポート１で支持させ、セットした鉄骨階段３の上部の踊り場３ａとコンクリート構造物との取合い部とで固定し、鉄骨階段支持用のパイプサポート１をその上下長さを縮めて、セットした鉄骨階段３の上部の踊り場の下での支持状態から撤去する鉄骨階段３の仮止め固定方法である。【選択図】図１
2013129961.tif 000002
【特許請求の範囲】
【請求項１】
コンクリート構造物における鉄骨階段の構築現場において、鉄骨階段を仮止めする固定方法であって、
パイプサポートを用意するとともに、
該パイプサポートの上端部に固定して取り付け、鉄骨階段の踊り場の下面に突設された補強リブに嵌合される凹部を有する支持金物を用意し、
前記パイプサポートの上端部に前記支持金物を取り付けて固定して鉄骨階段支持用のパイプサポートを形成し、
鉄骨組立て現場に搬入した鉄骨階段を所定の位置にセットしてその鉄骨階段の下部を、既設の鉄骨階段の上部に固定し、
前記セットした鉄骨階段の上部の踊り場を、前記鉄骨階段支持用のパイプサポートを鉄骨階段の階段部分の昇降方向に直交する方向に向けて配置するとともに、当該パイプサポートの上下長さを調節して前記支持金物を前記上部の踊り場の下部に突設されたリブに係合させて、当該鉄骨階段支持用のパイプサポートで支持させ、
前記セットした鉄骨階段の上部の踊り場と前記コンクリート構造物との取合い部とで固定し、
前記鉄骨階段支持用のパイプサポートをその上下長さを縮めて、前記セットした鉄骨階段の上部の踊り場の下での支持状態から撤去すること、
を特徴とする鉄骨階段の仮止め固定方法。
【請求項２】
鉄骨階段支持用のパイプサポートは、セットした鉄骨階段の上部の踊り場の下で２本配置され、連結用の単管パイプで補強されていること、
を特徴とする請求項１に記載の鉄骨階段の仮止め固定方法。
【請求項３】
パイプサポートと、
該パイプサポートの上端部に固定して取り付けられ、鉄骨階段の踊り場の下面に突設された補強リブに嵌合される凹部を有する支持金物とでなること、
を特徴とする鉄骨階段支持用のパイプサポート。
【請求項４】
支持金物は、取付け固定用の孔が設けられた平板体と、該平板体から一体的に突設された筒体とで構成され、補強リブに嵌合される凹部が対向配置に２箇所若しくは十字状に４箇所で、前記筒体の上部に一端側を端面に開口させて設けられていること、  
を特徴とする請求項３に記載の鉄骨階段支持用のパイプサポート。
【発明の詳細な説明】
【技術分野】
【０００１】
本発明は、鉄筋コンクリート構造物に非常用の鉄骨階段を設けるときにおける、鉄骨階段の仮止め固定方法と、鉄骨階段支持用のパイプサポートに関するものである。
【背景技術】
【０００２】
従来、鉄筋コンクリート構造物における鉄骨階段は、図６〜図８に示すように、鉄骨階段１０が階段部１１と上下位置の踊り場１２ａ，１２ｂとを一体にして形成されて、この鉄骨階段１０が現場に運搬されクレーンで吊り上げられて取付け予定部分に降ろされる。
【０００３】
鉄骨階段支持用の柱を設けないで直接に、コンクリート構造物の壁面から鉄骨階段を支持させる場合は、現場に搬入された前記鉄骨階段１０を前記コンクリート構造物１４で支持させるまでの間、枠組足場１３で支持することになる。
【０００４】
そこで、図６に示すように、上下2段に組みつけられた枠組足場１３ａ，１３ｂに支持されて鉄骨階段１０が設置され、コンクリート構造物１４側の固定金物であるファスナーとの固定と、下段で既に取り付けた鉄骨階段１０の踊り場１２ｂとの連結を図って、前記吊り降ろされた鉄骨階段１０を固定する。鉄骨階段に関する従来例として、建物の各種階高に対応して調節を可能にし、鉄骨階段の製作・組付けに手間を掛けないようにした固定方法が、特許文献１に記載のように知られている。
【先行技術文献】
【特許文献】
【０００５】
【特許文献１】特開平０８−１７７１８９号公報
【発明の概要】
【発明が解決しようとする課題】
【０００６】
しかし、従来の鉄骨階段の仮止め固定方法において、前記枠組足場１３は、踊り場１２ａ，１２ｂに設けられるが、前記枠組足場13の建枠１３ｃが階段部１１の進行方向に沿って平行にして立設されている。よって、図８における平面視で中央位置にある建枠１３ｃが、踊り場の通路を塞ぐ形になる。作業者等が階段部１１を上り下りするときに、作業者が階段部１１から踊り場１２ａ，１２ｂを通過する際に邪魔になる。
【０００７】
前記作業等者は、階段部１１に手摺等があるので踊り場を通らなければならず、建枠１３ｃの中を潜るようにして通過している。資材等を持った状態で作業者等が通過するにはきわめて不便である。また、鉄骨階段１０の組立て時の仮固定は、枠組足場１３を組むので大掛かりになって、手間と余分なコストが掛かっている。
【０００８】
更に、階段上の高い場所で枠組足場１３及び階段受けを組み立てるので、危険な組立作業となる。また、枠組足場１３の上に作業者が乗ってジャッキベースにより設置高さの調整を行う作業が、高所作業となってきわめて危険である。本発明に係る鉄骨階段の仮止め固定方法と鉄骨階段支持用のパイプサポートは、このような課題を解決するために提案されたものである。
【課題を解決するための手段】
【０００９】
本発明に係る鉄骨階段の仮止め固定方法の上記課題を解決して目的を達成するための要旨は、コンクリート構造物における鉄骨階段の構築現場において、鉄骨階段を仮止めする固定方法であって、パイプサポートを用意するとともに、該パイプサポートの上端部に固定して取り付け、鉄骨階段の踊り場の下面に突設された補強リブに嵌合される凹部を有する支持金物を用意し、前記パイプサポートの上端部に前記支持金物を取り付けて固定して鉄骨階段支持用のパイプサポートを形成し、
鉄骨組立て現場に搬入した鉄骨階段を所定の位置にセットしてその鉄骨階段の下部を、既設の鉄骨階段の上部に固定し、前記セットした鉄骨階段の上部の踊り場を、前記鉄骨階段支持用のパイプサポートを鉄骨階段の階段部分の昇降方向に直交する方向に向けて配置するとともに、当該パイプサポートの上下長さを調節して前記支持金物を前記上部の踊り場の下部に突設されたリブに係合させて、当該鉄骨階段支持用のパイプサポートで支持させ、前記セットした鉄骨階段の上部の踊り場と前記コンクリート構造物との取合い部とで固定し、前記鉄骨階段支持用のパイプサポートをその上下長さを縮めて、前記セットした鉄骨階段の上部の踊り場の下での支持状態から撤去することである。
【００１０】
前記鉄骨階段支持用のパイプサポートは、セットした鉄骨階段の上部の踊り場の下で２本配置され、連結用の単管パイプで補強されていることを含むものである。
【００１１】
本発明に係る鉄骨階段支持用のパイプサポートの上記課題を解決して目的を達成するための要旨は、パイプサポートと、該パイプサポートの上端部に固定して取り付けられ、鉄骨階段の踊り場の下面に突設された補強リブに嵌合される凹部を有する支持金物とでなることである。
【００１２】
前記支持金物は、取付け固定用の孔が設けられた平板体と、該平板体から一体的に突設された筒体とで構成され、補強リブに嵌合される凹部が対向配置に２箇所若しくは十字状に４箇所で、前記筒体の上部に一端側を端面に開口させて設けられていることを含むものである。
【発明の効果】
【００１３】
本発明の鉄骨階段の仮止め固定方法と、それに使用する鉄骨階段支持用のパイプサポートによれば、従来のような大掛かりな枠組足場を構築する必要がなくなり、コスト低減となる。パイプサポートにより高所作業が無くなり、作業者の安全性が確保され、鉄骨階段の支持部材の組み立て・解体が容易になる。
【００１４】
前記鉄骨階段支持用のパイプサポートを、鉄骨階段の階段部分の昇降方向に直交する方向に向けて配置するので通行の邪魔にならず、作業者の通行が容易になり、作業能率が向上する。更に、パイプサポートの転用が容易であり、コスト低減となる、と言う優れた効果を奏するものである。
【図面の簡単な説明】
【００１５】
【図１】本発明に係る鉄骨階段の仮止め固定方法にかかる実施例の側面図（Ａ）と、正面図（Ｂ）とである。
【図２】同実施例における側面図の一部を拡大して示す拡大詳細側面図図である。
【図３】同実施例の概略平面図である。
【図４】鉄骨階段支持用のパイプサポート１における支持金物２の実施例で、丸筒体２ｇに凹部６が十字状に4箇所設けられている場合の斜視図（Ａ）と、角筒体２ｇに凹部６が十字状に4箇所設けられている場合の斜視図（Ｂ）である。
【図５】鉄骨階段支持用のパイプサポート１における支持金物２の実施例で、丸筒体２ｇに凹部６が対向して２箇所設けられている場合の斜視図（Ａ）と、角筒体２ｇに凹部６が対向して２箇所設けられている場合の斜視図（Ｂ）である。
【図６】従来例に係る鉄骨階段の仮止め固定方法を説明する側面図である。
【図７】同従来例に係る鉄骨階段の仮止め固定方法を説明する平面図である。
【図８】同従来例に係る鉄骨階段の仮止め固定方法を説明する正面図である。
【発明を実施するための形態】
【００１６】
本発明に係る鉄骨階段の仮止め固定方法は、図１（Ａ），（Ｂ）に示すように、鉄骨階段の仮止め固定方法において、パイプサポートを使用して、作業者等の通行の邪魔にならないように設置するものである。
【実施例１】
【００１７】
本発明に係る鉄骨階段支持用のパイプサポート１は、図１（Ａ）に示すように、市販のパイプサポート１を使用する。このパイプサポート１は、下側の台板と該台板に立設された腰管（外管）１ａと、該腰管１ａの内部に差し込まれ上下方向の位置をねじ部で調整される差込管（内管）１ｂと、該内管１ｂの上端部に一体に設けられる受け板とでなる。前記差込管１ｂの外周面にピン穴が複数個設けられ、上下方向の位置が調整された後にピン穴に支持ピンが差し込まれて、位置固定されるようになっている。
【００１８】
前記パイプサポート１の受け板に、図２に示すように、鉄骨階段３の踊り場３ａの下面に突設された補強リブ３ｄに嵌合される凹部６を有する支持金物２が、４本のボルト及びナットとで固定される。前記凹部６の大きさは、補強リブ３ｄがちょうど差し込まれて無駄な隙間が無く収まるように、その幅及び深さが補強リブ３ｄより若干大きくして形成されている。一例として、幅が１０ｍｍ、深さが６０ｍｍ程度である。
【００１９】
前記支持金物２は、図４（Ａ），（Ｂ）と、図５（Ａ），（Ｂ）とに示すように、前記パイプサポート１の受け板に固定するための取付け固定用の孔２ｆが設けられた平板体２ｅと、該平板体２ｅから一体的に突設された筒体２ｇとで構成されている。補強リブ３ｄに嵌合される凹部６が対向配置に２箇所、若しくは、十字状に４箇所で、前記筒体２ｇの上部に一端側を端面に開口させて設けられている。踊り場３ａの補強リブ３ｄが格子状であれば、前記凹部６を十字状にして差し込むことで、より確実に支持できるものである。
【００２０】
上記鉄骨階段支持用のパイプサポート１を形成した後に、鉄骨階段の仮止め固定方法を施工する。これには、図１（Ａ），（Ｂ）に示すように、構築するコンクリート構造物１４における鉄骨階段３の構築現場において、鉄骨組立て現場にクレーン等で搬入した鉄骨階段３を所定の位置にセットしてその鉄骨階段３の下部の踊り場３ｃを鉄骨柱に固定する。
【００２１】
前記セットした鉄骨階段３の上部の踊り場３ａを、図１（Ａ）に示すように、前記鉄骨階段支持用のパイプサポート１を鉄骨階段３の階段部分３ｂの昇降方向に直交する方向に向けて配置する。それと同時に、図２に示すように、当該パイプサポート１の上下長さを上に伸ばすように調節し、前記支持金物２を前記上部の踊り場３ａの下部に突設された補強リブ３ｄに係合させて、当該鉄骨階段支持用のパイプサポート１で支持させる。この後、前記クレーンのフック・ワイヤ等が外されて、クレーンによる鉄骨階段３の吊り下げ支持が解除される。
【００２２】
前記鉄骨階段支持用のパイプサポート１は、図１（Ｂ）に示すように、セットした鉄骨階段３の上部の踊り場３ａの下で２本配置され、連結用の単管パイプである、補強部材４と筋交い４ａとで補強されている。この鉄骨階段支持用のパイプサポート１の設置位置は、図１（Ａ）に示すように、安全性を考慮して踊り場３ａの端部から稍（やや）内側に設置する。
【００２３】
このように鉄骨階段支持用のパイプサポート１を設置したことで、図１（Ａ）に示す作業者７の約一人分の通行する空間が確保される。作業者７は、資材などを持ちながら、この踊り場を容易に通過することができるようになり、作業能率が向上するものである。
【００２４】
前記セットした鉄骨階段３の上部の踊り場３ａと前記コンクリート構造物１４との取合い部におけるファスナー・ボルト・ナット等で固定する。その後は、前記鉄骨階段支持用のパイプサポート１は、不要となる。そこで、前記鉄骨階段支持用のパイプサポート１を、その上下長さを短くして（支持ピンを抜いて差込管１ｃを短縮方向へ回転させる）、前記セットした鉄骨階段３の上部の踊り場３ａの下での支持状態から撤去する。この撤去した鉄骨階段支持用のパイプサポート１は、上の階で必要となれば、転用するものである。
【００２５】
このようにして、簡易な鉄骨階段支持用のパイプサポート１を形成して、作業者７の通過できる空間を確保するように、踊り場に設置するものである。
【産業上の利用可能性】
【００２６】
本発明に係る鉄骨階段支持用のパイプサポートは、鉄骨階段の支持に適用されるが、支持金物に嵌合するリブ等を有した適宜な係止部があれば、他の部材の支持にも適用することができるものである。
【符号の説明】
【００２７】
１          鉄骨階段支持用のパイプサポート、
１ａ        腰管（外管）、                  １ｃ      差込管（内管）、
２          支持金物、
２ａ〜２ｄ  支持金物、                      ２ｅ      平板体、
２ｆ        孔、                            ２ｇ      筒体、
３          鉄骨階段、                      ３ａ      踊り場、
３ｂ        階段部分、                      ３ｃ      踊り場、
３ｄ        補強リブ、  
４          補強部材、                      ４ａ      筋交い、
５          既設の鉄骨階段、
６          凹部、
７          作業者、
１０        鉄骨階段、
１１        階段部分、
１２ａ，１２ｂ              踊り場、
１３，１３ａ，１３ｂ        枠組足場、
１３ｃ      建枠、  
１４        コンクリート構造物。
【図１】
2013129961.tif 000003
【図２】
2013129961.tif 000004
【図３】
2013129961.tif 000005
【図４】
2013129961.tif 000006
【図５】
2013129961.tif 000007
【図６】
2013129961.tif 000008
【図７】
2013129961.tif 000009
【図８】
2013129961.tif 000010